(57)【要約】【課題】遮断器を手動で操作する場合においても快適に操作することが出来る遮断器の操作装置を得ることができる。【解決手段】手動投入部３００の各部材からなる力伝達機構は２つの機構部品間に力伝達方向に弾性を有する弾性体としてのねじりコイルばね７３を有し、このねじりコイルばね７３は、出力レバー５０が第１の角度位置１０１から第２の角度位置１０２に移動する際に発生し手動投入部３００を介して手動押しボタン７５側に伝達する衝撃力を進行の中途で吸収する。【選択図】        図１
2004165135.tif 000002
【特許請求の範囲】
【請求項１】
遮断器の枠体に配設され、投入及び開放指令信号に応じて開閉動作する主接点、前記投入指令信号がないとき待機位置にあって前記投入指令信号があるとき動作位置へと駆動される投入トリガ、前記投入トリガが前記待機位置にあるとき該投入トリガによって回転が規制され前記投入トリガが前記動作位置にあるとき駆動手段によって駆動されるカム、前記カムの回転によって前記主接点の開状態に対応する第１の角度位置から閉状態に対応する第２の角度位置へと駆動され、且つ前記主接点が連結された出力レバー、及び、前記カムに連結され前記出力レバーを第２の角度位置側に付勢する投入ばねを有する遮断器の操作装置において、
前記投入トリガに向かって進退動する可動プランジャ、及び、前記投入指令信号を電磁力に変換し、該電磁力によって前記可動プランジャを付勢する投入コイルを有し、前記投入指令信号があるときに前記可動プランジャを前進させて前記投入トリガを前記動作位置へ移動させる投入電磁石と、
遮断器の枠体に進退動可能に設けられた手動押しボタン、及び、前記手動押しボタンの動きを前記投入トリガに伝える力伝達機構を有し、前記手動押しボタンに加わる押圧力を前記投入トリガに伝えて前記投入トリガを前記動作位置へ移動させる手動投入部とを備え、
前記力伝達機構は２つの機構部品間に力伝達方向に弾性を有する弾性体を有し、該弾性体は、前記出力レバーが前記第１の角度位置から前記第２の角度位置に移動する際に発生し前記力伝達機構を介して前記手動押しボタン側に伝達する衝撃力を進行の中途で吸収する
ことを特徴とする遮断器の操作装置。
【請求項２】
前記出力レバー上に設けられた軸受に回転自在に軸支された二重投入防止ピン、及び、
前記出力レバーが前記第２の角度位置にあるとき前記二重投入防止ピンをガイドして前記投入トリガを前記待機位置に押圧せしめ、前記出力レバーが前記第１の角度位置にあるとき前記二重投入防止ピンを前記投入トリガから離すようにガイドするガイド穴を有する二重投入防止部をさらに備えた
ことを特徴とする請求項１に記載の遮断器の操作装置。
【請求項３】
前記力伝達機構は、前記手動押しボタンと前記可動プランジャとの間に設けられ、前記手動押しボタンの動きを前記可動プランジャに伝える
ことを特徴とする請求項１または２に記載の遮断器の操作装置。
【請求項４】
前記力伝達機構は、前記手動押しボタンと前記投入トリガとの間に設けられ、前記手動押しボタンの動きを前記投入トリガに伝える
ことを特徴とする請求項１または２に記載の遮断器の操作装置。
【請求項５】
遮断器の枠体に配設され、投入及び開放指令信号に応じて開閉動作する主接点、前記投入指令信号がないとき待機位置にあって前記投入指令信号があるとき動作位置へと駆動される投入トリガ、前記投入トリガが前記待機位置にあるとき該投入トリガによって回転が規制され前記投入トリガが前記動作位置にあるとき駆動手段によって駆動されるカム、前記カムの回転によって前記主接点の開状態に対応する第１の角度位置から閉状態に対応する第２の角度位置へと駆動され、且つ前記主接点が連結された出力レバー、前記カムに連結され前記出力レバーを第２の角度位置側に付勢する投入ばね、前記出力レバー上に設けられた軸受に回転自在に軸支された二重投入防止ピン、及び、前記出力レバーが前記第２の角度位置にあるとき前記二重投入防止ピンをガイドして前記投入トリガを前記待機位置に押圧せしめ、前記出力レバーが前記第１の角度位置にあるとき前記二重投入防止ピンを前記投入トリガから離すようにガイドするガイド穴を有する二重投入防止部と、
前記投入トリガに向かって進退動する可動プランジャ、及び、前記投入指令信号を電磁力に変換し、該電磁力によって前記可動プランジャを付勢する投入コイルを有し、前記投入指令信号があるときに前記可動プランジャを前進させて前記投入トリガを前記動作位置へ移動させる投入電磁石と、
遮断器の枠体に進退動可能に設けられた手動押しボタン、及び、前記手動押しボタンと前記可動プランジャとの間に設けられ、前記手動押しボタンの動きを前記可動プランジャに伝える力伝達機構を有し、
前記投入指令信号がないときに、前記手動押しボタンに加わる押圧力を前記可動プランジャに伝えて前記可動プランジャ前進させて前記投入トリガを前記動作位置へ移動させる手動投入部とを備え、
前記力伝達機構は２つの機構部品間に力伝達方向に弾性を有する弾性体を有し、該弾性体は、前記出力レバーが前記第１の角度位置から前記第２の角度位置に移動する際に発生し前記力伝達機構を介して前記手動押しボタン側に伝達する衝撃力を進行の中途で吸収する
ことを特徴とする遮断器の操作装置。
【請求項６】
前記力伝達機構は、一端が前記手動押しボタンに固定され他端が前記可動プランジャ側に延び、力伝達方向に摺動可能に支持され、前記手動押しボタンに加わる押圧力を前記可動プランジャに伝える手動投入ロッドを有し、前記弾性体は、前記手動投入ロッドの端部と前記可動プランジャの頭部との間に設けられている
ことを特徴とする請求項１から３及び５のいずれかに記載の遮断器の操作装置。
【請求項７】
前記弾性体は、ばねであり、前記ばねは、概略Ｌ字型に形成され、中央螺旋部を軸支され、一端が前記手動投入ロッドの端部に係合し、他端が前記可動プランジャの頭部に接触するねじりコイルばねである
ことを特徴とする請求項６に記載の遮断器の操作装置。
【発明の詳細な説明】
【０００１】
【発明の属する技術分野】
この発明は、例えば電力系統に事故が生じた場合に電力系統を遮断し電力系統を保護する電力用遮断器に関するものであり、特にこの電力用遮断器の操作装置に関するにものである。
【０００２】
【従来の技術】
一般に、電力用遮断器（以下、遮断器と称する）の操作装置においては、外部からの電気的な投入指令信号によって主接点を閉成する目的で電磁石が設けられている。この電磁石は、進退動可能に支持されたプランジャと、投入指令信号を電磁力に変換し、この電磁力によってプランジャを駆動するコイルとを有している。そして、この電磁石は投入指令信号があるときに、プランジャを前進、或いは後退させ、この動きによって遮断器の主接点を閉成する（例えば、特許文献１参照）。
【０００３】
また、このような構成の遮断器の操作装置においては、遮断器の投入中に誤って再度の投入がされて遮断器が破損することのないように、二重投入防止機構が設けられている。この二重投入防止機構においては、二重投入防止ピンを用いるものが多い。すなわち、この二重投入防止機構は、主接点の開状態に対応する第１の角度位置から閉状態に対応する第２の角度位置へと駆動される出力レバー上に設けられ、出力レバーが第２の角度位置にあるとき投入トリガを待機位置に直接押圧し、第１の角度位置にあるとき投入トリガには接触しない二重投入防止ピンを有している（例えば、特許文献１参照）。さらに、この操作装置には、電極の反発力に打ち勝って確実に且つ高速に主接点を閉成する目的で強力な投入ばねが設けられている。この投入ばねの付勢力は、例えば２０００Ｎｅｗｔｏｎ以上の非常に大きなものである。
【０００４】
さらにまた、このような構成の遮断器の操作装置においては、例えば、遮断器の動作を確認する目的で、外部からの電気的な投入指令信号がない場合においても手動操作によって主接点を閉成することが出来るように手動操作機構が設けられている。この手動操作機構は、機能が副次的である故にその構造は簡単にされることが望ましい。そのため、手動操作機構は、一般に、遮断器の枠体に進退動可能に設けられた手動押しボタンと、この手動押しボタンと電磁石のプランジャとの間に設けられ手動押しボタンの動きをプランジャに伝える力伝達機構とからなることが多い。
【０００５】
【特許文献１】
特許第３２７１５１２号公報（第３頁  図１）
【特許文献２】
特開２０００−２０７９６７号公報
【特許文献３】
実用新案登録第２５４６３０５号公報
【０００６】
【発明が解決しようとする課題】
このような構成の遮断器の操作装置においては、出力レバーが第１の角度位置から高速に第２の角度位置に移動したときに大きな衝撃力が発生する。そして出力レバーが第１の角度位置から高速に第２の角度位置に移動したときに、出力レバーが二重投入防止ピンを押し上げ、二重投入防止ピンは、投入トリガを待機位置に押圧し戻す。このようにして、出力レバーで発生した大きな衝撃力は、二重投入防止ピンを介して投入トリガに伝達される。そしてさらにこの衝撃力は、上述の力伝達機構を介して手動押しボタンまで伝わる。
【０００７】
上述の手動操作機構によって手動操作により遮断器の投入を行う場合、手動押しボタンを押して投入操作を行うと、この投入が完了すると同時に手動押しボタンが押した方向と反対の方向に強い力で押し戻される。
【０００８】
この手動押しボタンを押し戻す強い力は、上述の投入ばねに蓄勢された力と上述の力伝達機構の動作時の慣性モーメントの合力であり、２０００Ｎを越す大きさであって、人間の操作力を遥かに越えた値である。そのため、手動押しボタンをすぐに離さないと突き指をする等の不具合があり、操作性が悪かった。
【０００９】
この発明は、上述のような課題を解決するためになされたもので、遮断器を手動で操作する場合においても快適に操作することが出来る遮断器の操作装置を得ることを目的とする。
【００１０】
【課題を解決するための手段】
この発明に係る遮断器の操作装置は、遮断器の枠体に配設され、投入及び開放指令信号に応じて開閉動作する主接点、投入指令信号がないとき待機位置にあって投入指令信号があるとき動作位置へと駆動される投入トリガ、投入トリガが待機位置にあるとき投入トリガによって回転が規制され投入トリガが動作位置にあるとき駆動手段によって駆動されるカム、カムの回転によって主接点の開状態に対応する第１の角度位置から閉状態に対応する第２の角度位置へと駆動され、且つ主接点が連結された出力レバー、及び、カムに連結され出力レバーを第２の角度位置側に付勢する投入ばねを有する遮断器の操作装置であって、投入トリガに向かって進退動する可動プランジャ、及び、投入指令信号を電磁力に変換し、電磁力によって可動プランジャを付勢する投入コイルを有し、投入指令信号があるときに可動プランジャを前進させて投入トリガを動作位置へ移動させる投入電磁石と、遮断器の枠体に進退動可能に設けられた手動押しボタン、及び、手動押しボタンの動きを投入トリガに伝える力伝達機構を有し、手動押しボタンに加わる押圧力を投入トリガに伝えて投入トリガを動作位置へ移動させる手動投入部とを備え、力伝達機構は２つの機構部品間に力伝達方向に弾性を有する弾性体を有し、弾性体は、出力レバーが第１の角度位置から第２の角度位置に移動する際に発生し力伝達機構を介して手動押しボタン側に伝達する衝撃力を進行の中途で吸収する。
【００１１】
【発明の実施の形態】
実施の形態１．
図１はこの発明の実施の形態１の遮断器の手動操作装置を示す要部斜視図である。図２は手動操作装置の要部縦断面図である。図３及び図４は手動操作装置の出力レバーの２つの角度位置の説明図である。図５は手動操作装置の遮断器開極状態を示す側面図である。図６は手動操作装置の遮断器投入状態を示す側面図である。図１及び図２において、この発明の遮断器の手動操作装置は、遮断器の二重投入を機械的に防止する二重投入防止部１００と、外部からの電気的な投入指令信号によって動作し、この投入指令信号があるときに遮断器の主接点１を閉成する投入電磁石２００と、例えば遮断器の動作を確認する目的で、上述の投入指令信号がないときに、投入電磁石２００の可動プランジャ６８を手動操作によって強制的に移動させることにより遮断器の主接点１を閉成する手動投入部３００とから構成されている。
【００１２】
二重投入防止部１００の出力レバー５０は、出力ピン６７を介して遮断器の主接点１に連結されている。出力レバー５０は、出力レバー５０を貫通する主軸４９に固着されている。主軸４９は、図２に示されるように枠体９９に設けられた２つの軸受け９９ａ，９９ｂによって回転自在に支持されている。図１に戻り、枠体９９と出力レバー５０との間に引外しばね６１が懸架されている。
【００１３】
出力レバー５０は、主軸４９を中心として回動し図３に示される第１の角度位置１０１と図４に示される第２の角度位置１０２の間を往復動する。図３に示される第１の角度位置１０１は、遮断器の主接点１を開成する遮断器開極状態を示し図５に対応している。図４に示される第２の角度位置１０２は、遮断器の主接点１を閉成する遮断器投入状態を示し図６に対応している。なお、図３及び図４中の線９８は水平方向を示す説明補助線である。
【００１４】
図１に戻り、カム６９がカム軸４８に固着されている。カム軸４８は、枠体９９の図示しない部分に回転自在に支持されている。カム６９は、図示しない電動機などにより駆動され１回転毎に出力レバー５０を蹴る。そして、カム６９に蹴られることによって動いた出力レバー５０を第２の角度位置（主接点１閉成の位置）１０２に保持する目的で、引外しラッチ５１がカム６９に隣接して設けられている。
【００１５】
図示しない外部の制御装置からの投入指令信号、或いは手動押しボタン７５の投入動作によって作動し、可動プランジャ６８を二重投入防止部１００方向に押し出す投入電磁石２００が所定の位置に設けられている。投入電磁石２００は、進退動可能に設けられた可動プランジャ６８と、この可動プランジャ６８を囲繞するように設けられ、外部からの投入指令信号を電磁力に変換し、この電磁力によって可動プランジャ６８を二重投入防止部１００側に付勢する投入コイル６０とを有している。
【００１６】
投入電磁石２００の下方には、可動プランジャ６８に押されてトリガ軸５５を中心に回動する投入トリガ５８が設けられている。投入トリガ５８は、投入指令信号がないときは復帰バネ６５に押されて待機位置にあるが、投入指令信号が有ると可動プランジャ６８に押されて、主接点１が開極状態にあるときにかぎり図３に破線で示す動作位置５８１に移動（回動）する。カム軸４８に固着された大歯車５７上にＢピン６３が回動自在に軸着されている。投入トリガ５８の先端部がこのＢピン６３に接触して、大歯車５７の回転を阻止している。大歯車５７と枠体９９との間に投入ばね６２が懸架されている。
【００１７】
出力レバー５０上の主軸４９から離れた位置に、主軸４９と平行に軸受け７１が設けられている。この軸受７１には二重投入防止ピン７０の一端が挿入され、自由に回転できるようになっている。二重投入防止ピン７０は、図２の縦断面図に示されているように、ほぼ９０°近い曲がり部を含むＬ型部を２ヶ所有するが、その両端部は互いにほぼ平行となるように曲げられている。
【００１８】
図２に示されるように、枠体９９上に長円穴（ガイド穴）７２が穿孔されている。なお、長円穴７２に関しては、図３乃至図６において穴のみが示されている。二重投入防止ピン７０は、この長円穴７２によって動きの方向を案内されている。長円穴７２は、その長軸方向が、投入トリガ５８のトリガ軸５５を中心とする円運動の接線となる方向（投入トリガ５８に接触する部分が運動する方向）に向かって長くなるように設けられており、その位置は、この長円穴７２を貫通している二重投入防止ピン７０が、投入トリガ５８の端部に当接する位置に設けられている。
【００１９】
そして、図３に示されるように主接点１が開状態にあるとき、出力レバー５０は第１の角度位置１０１にある。このとき軸受７１は、主軸４９の左上にあるので、二重投入防止ピン７０の先端部分は、長円穴７２の下の方に移動している。したがって、投入トリガ５８と二重投入防止ピン７０との間には十分な間隙があり、二重投入防止ピン７０は投入トリガ５８の動きを規制することはない。
【００２０】
投入指令信号が入ると、投入電磁石２００が作動して可動プランジャ６８が投入トリガ５８を押し下げる（図３中に５８１で示す）。これによってＢピン６３と押し下げられた投入トリガ５８１とが離れ、大歯車５７が図示しない電動機などの駆動手段によって駆動され図１の矢印Ｇ方向に回転し、この大歯車５７とカム軸４８で一体化されたカム６９が回転し、カム６９が出力レバー５０を蹴って、その位置を第１の角度位置１０１から、第２の角度位置１０２へと動かす。これによって主接点１が閉じ図４に示す状態となる。
【００２１】
もちろん、出力レバー５０が第１の角度位置１０１から第２の角度位置１０２へと動くとき、二重投入防止ピン７０の軸受７１が移動することによって、二重投入防止ピン７０も図３の位置から図４の位置へ移動する。
図４に示されるように主接点１が投入状態にあるとき、出力レバー５０は第２の角度位置１０２にある。このとき軸受７１は、主軸４９の右上にあるので、二重投入防止ピン７０の先端部分は、長円穴７２の上の方に移動している。そして、投入トリガ５８は二重投入防止ピン７０によって押されているので自由に動くことができない。
【００２２】
この状態で投入指令信号が入ると、投入電磁石２００が作動して可動プランジャ６８が投入トリガ５８を押し下げようとする。しかし、二重投入防止ピン７０が投入トリガ５８の動きを妨げているので、投入トリガ５８は動かず、カム軸４８も回転しない。よって、二重投入操作が防止される。
【００２３】
図６は出力レバー５０が投入状態の手動操作装置を示す。手動押しボタンフレーム７９は、２個の軸受け７９ａ，７９ｂによって、手動投入ロッド７４を進退方向に移動可能に支持している。手動押しボタンフレーム７９は、ボルト８０ａ，８０ｂで図示されていない操作機構フレームにねじ締結されている。手動投入ロッド７４の一端に手動押しボタン７５が設けられている。一方、手動投入ロッド７４の他端にはピン７８を介して、弾性体としてのねじりコイルばね７３のフック部７３ｂが係合されている。
【００２４】
ねじりコイルばね７３は、図７に示されるように、１本のばね棒材が屈曲されて作製され、ばね棒材の中央部がＶ字状に折り曲げられて成形された作用部７３ａと、ばね棒材の両端部が折り返されて成形されたフック部７３ｂ，７３ｂと、作用部７３ａとフック部７３ｂ，７３ｂの中間にばね状に巻かれて成形された中央螺旋部（支点部）７３ｃとから構成されている。そして、ねじりコイルばね７３は、側方から見た場合に、中央螺旋部７３ｃを角部として作用部７３ａとフック部７３ｂとが概略直角を成す形状に成形されている。ねじりコイルばね７３は、手動押しボタンフレーム７９に懸架されたＤピン７７を中央螺旋部７３ｃに貫通させ、Ｄピン７７を中心として回動するようにＤピン７７に軸支されている。ねじりコイルばね７３の作用部７３ａは、投入電磁石２００の可動プランジャ６８の上端面６８ａに当接している。
【００２５】
手動押しボタン７５と手動押しボタンフレーム７９の間には、手動投入ロッド７４に貫通された復帰ばね７６が縮設されている。この復帰ばね７６によって、投入ボタン７５には、これを矢印Ａ方向に移動させようとする力が働いている。投入電磁石２００はボルト８１ａ，８１ｂで操作機構フレーム（図示せず）にねじ締結されている。
【００２６】
図６において、手動押しボタン７５を矢印Ｂ方向に押し込むと、手動投入ロッド７４は矢印Ｂ方向に移動する。そして、手動投入ロッド７４の矢印Ｂ方向への移動により、ねじりコイルばね７３はＤピン７７を中心に矢印Ｅ方向に回転する。そして、投入電磁石２００の可動プランジャ６８を矢印Ｃ方向に押し込んで投入トリガ５８を押し下げようとする。しかしながら、このとき軸受７１は、主軸４９の右上にあるので、二重投入防止ピン７０の先端部分は、長円穴７２の上の方に移動しており、投入トリガ５８は二重投入防止ピン７０によって押されているので自由に動くことができず、投入トリガ５８も動かない、そしてカム軸４８も回転しないので、二重投入操作が防止される。
【００２７】
一方、図５の開放状態では、軸受７１が主軸４９の左上にあるので、二重投入防止ピン７０の先端部分は、長円穴７２の下の方に移動している。そして、投入トリガ５８と二重投入防止ピン７０との間には十分な間隙があり、二重投入防止ピン７０は投入トリガ５８の動きを規制することはなく、出力レバー５０は開放状態にある。
【００２８】
この状態で、手動押しボタン７５を矢印Ｂ方向に押し込むと、手動投入ロッド７４は矢印Ｂ方向に移動する。そして、手動投入ロッド７４の矢印Ｂ方向の動きによってねじりコイルばね７３はＤピン７７を中心に矢印Ｅ方向に回転する。その結果、ねじりコイルばね７３は投入電磁石２００の可動プランジャ６８の上端面６８ａを矢印Ｃ方向に押し込む。そして、可動プランジャ６８が矢印Ｃ方向に動く結果、可動プランジャ６８は投入トリガ５８の端部を押し込み、投入トリガ５８をトリガ軸５５を中心に矢印Ｄ方向に回動させる。トリガ軸５５の回動によって、投入トリガ５８と大歯車５７に回動自在に軸着されたＢピン６３との係合が外れる。これにより、出力レバー５０は主軸４９を中心に矢印Ｅ方向に回動する。これによって主接点１が閉成される。
【００２９】
しかしながら、このとき出力レバー５０に回転自在に配設された二重投入防止ピン７０は長円穴７２に沿って矢印Ｆ方向に強く突き上げられる。この二重投入防止ピン７０を突き上げる力は、縮められた投入ばね６２に蓄勢されたエネルギーが投入ばね６２延びるときに放出するエネルギーと、二重投入防止部１００の各回転部材の回転モーメントの慣性力によって発生する。そして、この二重投入防止ピン７０を突き上げる力は、上述の［発明が解決しようとする課題］で述べたように、２０４ｋｇｆ（２０００Ｎｅｗｔｏｎ）を越す大きさであり人間の操作力を遥かに越えた値である。そして、この二重投入防止ピン７０を突き上げる力は、投入トリガ５８をトリガ軸５５を中心に矢印Ｅ方向に回転させる。そして、可動プランジャ６８を矢印Ｆ方向に押し上げる。そしてさらに、ねじりコイルばね７３をＤピン７７を中心に矢印Ｄ方向に回転させようとするが、ねじりコイルばね７３は、投入電磁石２００を押す約７ｋｇｆ（６９Ｎｅｗｔｏｎ）程度の力を若干超える程度の力で変形するように設計されている。そのため、手動押しボタン７５には、この約７ｋｇｆ（６９Ｎｅｗｔｏｎ）を超える力が伝わることがない。その結果、操作者が突き指をする等の不具合がなくり、操作性が向上する。
【００３０】
ここで本実施の形態の構成を整理すると、遮断器の操作装置は、二重投入防止部１００と投入電磁石２００と手動投入部３００とから構成されており、このうち、二重投入防止部１００は、概略、主接点１、出力レバー５０、投入トリガ５８、カム６９、引外しラッチ５１、大歯車５７、投入ばね６２、引外しばね６１、二重投入防止ピン７０、及び、枠体９９に形成された長円穴（ガイド穴）７２から構成されている。
【００３１】
また、投入電磁石２００は、投入コイル６０、及び、可動プランジャ６８を有している。さらに、手動投入部３００は、手動押しボタン７５、復帰ばね７６、手動投入ロッド７４、ピン７８、ねじりコイルばね７３、及び、Ｄピン７７を有している。そして、手動投入部３００を構成する各部材のうち、手動押しボタン７５を除く部材は力伝達機構を構成し、この力伝達機構は、手動押しボタン７５の動きを可動プランジャ６８に伝える役目を果たしている。
【００３２】
このような構成の遮断器の操作装置においては、手動投入部３００の各部材からなる力伝達機構は、２つの機構部品間に力伝達方向に弾性を有するねじりコイルばね７３を有している。このねじりコイルばね７３は、出力レバー５０が第１の角度位置１０１から第２の角度位置１０２に移動する際に発生し手動投入部３００を介して手動押しボタン７５側に伝達する衝撃力を進行の中途で吸収する。そのため、手動押しボタン７５に大きな反発力が戻ってくるとがなく、操作者が突き指をする等の不具合がなくなり、遮断器を手動で操作する場合においても、快適に操作することが出来る。
【００３３】
また、本実施の形態において、力伝達機構の任意の２つの機構部品間設けられる弾性体は、概略Ｌ字型に形成され、中央螺旋部を軸支され、一端が手動投入ロッドの端部に係合し、他端が可動プランジャの頭部に接触するねじりコイルばね７３である。ねじりコイルばね７３は、一端に加えられた押圧力を方向を変えて可動プランジャ側の他端に伝達する力伝達方向変換部材を兼ねており、そのため、部品点数を増やすことなく、衝撃力を吸収する機構を実現することができ、組み立て工数を削減できるとともに、コストダウンを図ることもできる。
【００３４】
尚、本実施の形態の遮断器の操作装置は、投入電磁石２００が可動プランジャ６８を押し出して投入トリガ５８とＢピン６３との係合を解くものであるが、可動プランジャ６８を引き込んで投入トリガ５８とＢピン６３との係合を解くタイプのものにおいても本願発明を適用することができる。
【００３５】
実施の形態２．
図８はこの発明の実施の形態２の遮断器の手動操作装置の遮断器開極状態を示す側面図である。手動投入ロッド７４の他端に、ピン７８を介して、Ｌ字型レバー３２の後端部３２ｂが連結されている。Ｌ字型レバー３２は、手動押しボタンフレーム７９に懸架されたＤピン７７を中央屈曲部に貫通させ、Ｄピン７７を中心として回動するようにＤピン７７に軸支されている。Ｌ字型レバー３２は、後端部３２ｂに加えられた押圧力を方向を変えて先端部３２ａに伝達する力伝達方向変換部材である。
【００３６】
そして、Ｌ字型レバー３２の先端部３２ａと投入電磁石２００の可動プランジャ６８の上端面６８ａとの間に、弾性体としての円筒ばね１７３が配設されている。円筒ばね１７３は、出力レバー５０が第１の角度位置１０１から第２の角度位置１０２に移動する際に発生し手動押しボタン７５方向に伝わろうとする衝撃力を進行の中途で吸収する。
【００３７】
このような構成の遮断器の操作装置においては、弾性体が、円筒ばね１７３であるので、衝撃力を吸収する機構を実現することが容易にできるとともに、部品を容易に入手することができ、コストダウンを図ることができる。
【００３８】
また、概略Ｌ字型を成し、中央屈曲部を軸支され、手動投入ロッド７４側の一端に加えられた押圧力を方向を変えて可動プランジャ６８側の他端に伝達するＬ字型レバー３２を有し、円筒ばね１７３はＬ字型レバー３２と可動プランジャ６８との間に設けられているので、構造が簡単で容易に設計することができ、また構造が単純で動作が安定し信頼性が向上する。
【００３９】
実施の形態３．
図９はこの発明の実施の形態３の遮断器の手動操作装置の遮断器開極状態を示す側面図である。本実施の形態においては、Ｌ字型レバー３２と可動プランジャ６８との間に、弾性体としての硬質ゴム円柱２７３が配設されている。その他の構成は実施の形態１と同様である。硬質ゴム円柱２７３は、円柱状をなし衝撃力を吸収するために適度な硬さの材料が選択されて成形されている。
【００４０】
このような構成の遮断器の操作装置においては、弾性体が、力伝達機構の機構系を形成する材料より低剛性の材料でなる低剛性部材としての硬質ゴム円柱２７３であるので、衝撃力を吸収する機構を容易に実現することができるとともに、衝撃力を確実に吸収することができ操作性がさらに向上する。
【００４１】
実施の形態４．
図１０はこの発明の実施の形態４の遮断器の手動操作装置の手動投入部の要部の側面図である。本実施の形態においては、手動投入ロッド７４と可動プランジャ６８との間に、弾性体としての円筒ばね３７３が配設されている。手動押しボタン７５の押圧力を方向を変えずにそのまま伝達するのであれば、本実施の形態のような構造とされてもよい。
【００４２】
このような構成の遮断器の操作装置においては、一端が手動押しボタン７５に固定され他端が可動プランジャ６８側に延び、力伝達方向に摺動可能に支持され、手動押しボタン７５に加わる押圧力を可動プランジャ６８に伝える手動投入ロッド７４を有し、円筒ばね３７３は、手動投入ロッド７４の端部と可動プランジャの頭部との間に設けられている。そのため、衝撃力を吸収する機構を実現することが容易にできる。
【００４３】
実施の形態５．
図１１はこの発明の実施の形態５の遮断器の手動操作装置の手動投入部の要部の側面図である。本実施の形態においては、手動投入ロッド７４とＬ字型レバー３２との間に、弾性体としての円筒ばね４７３が配設されている。
【００４４】
このような構成の遮断器の操作装置においては、概略Ｌ字型を成し、中央屈曲部を軸支され、手動投入ロッド７４側の一端に加えられた押圧力を方向を変えて可動プランジャ６８側の他端に伝達するＬ字型レバー３２を有し、円筒ばね４７３は手動投入ロッド７４とＬ字型レバー３２との間に設けられている。そのため、構造が簡単で容易に設計することができ、また構造が単純で動作が安定し信頼性が向上する。
【００４５】
実施の形態６．
図１２はこの発明の実施の形態６の遮断器の手動操作装置の手動投入部の要部の斜視図である。本実施の形態においては、手動投入ロッド１７４は、中央部で２分割され、手動押しボタン７５に固着する第１のロッド１７４ａとピン７８を有する第２のロッド１７４ｂとから成る。そして、第１のロッド１７４ａと第２のロッド１７４ｂとの間に、弾性体としての円筒ばね５７３が配設されている。
【００４６】
このような構成の遮断器の手動操作装置においては、手動投入ロッド１７４は軸方向に２分割され、円筒ばね５７３は２分割された手動投入ロッド１７４ａ，１７４ｂ間に挟まれて設けられている。そのため、装置をコンパクトにすることができる。
【００４７】
尚、実施の形態２及び実施の形態４から５において、弾性体として設けられたばねは円筒状のものであるが、ばねはこの円筒状（円柱状）のものに限定されるものではなく、例えば、中央部が膨らんだ樽型や逆に中央部がくびれる糸巻き型等のものであってもよい、また、これらの実施の形態において、円筒ばねに代わって実施の形態３と同様の硬質ゴム円柱が設けられてもよい。さらに、弾性体はばねや硬質ゴム円柱に限られるものではなく、手動投入部３００の力伝達機構の機構系を形成する材料より低剛性の材料でなる低剛性部材であればよく、このようなものでも所定の効果を得ることができる。
【００４８】
実施の形態７．
図１３はこの発明の実施の形態７の遮断器の手動操作装置を示す遮断器投入状態の側面図である。本実施の形態においては、弾性体としてのねじりコイルばね７３に連結して、延長ロッド９１が設けられている。延長ロッド９１は、図示しない操作機構フレームにボルト８１ｃによってねじ締結されたステイ９２によって、投入トリガ５８に向かって進退動可能に支持されている。そして、本実施の形態の投入電磁石２００は、この延長ロッド９１に隣接して並設されている。詳細には、投入電磁石２００は、可動プランジャ６８が延長ロッド９１に対して平行となるように、すなわち、延長ロッド９１と可動プランジャ６８の進退動方向が平行となるような位置に配設されている。
【００４９】
そしてさらに、延長ロッド９１及び投入電磁石２００と投入トリガ５８との間に併合アーム９３が設けられている。併合アーム９３は、図示しない案内部材によって、延長ロッド９１及び可動プランジャ６８の進退動方向と同じ方向に、つまり図１３の上下方向に平行移動可能に支持されている。そして、併合アーム９３の両端部９３ａ，９３ｂは、それぞれ、延長ロッド９１と可動プランジャ６８の先端に接触しており、一方、併合アーム９３の中央脚部９３ｃは、投入トリガ５８の力点部５８ａに接触している。
【００５０】
本実施の形態においては、手動押しボタン７５に加えられた押圧力は、可動プランジャ６８を介さずに、延長ロッド９１及び併合アーム９３を通じて直接投入トリガ５８に伝達される。本実施の形態の手動投入部３０１は、手動押しボタン７５、復帰ばね７６、手動投入ロッド７４、ピン７８、ねじりコイルばね７３、及び、Ｄピン７７、延長ロッド９１及び併合アーム９３を有している。そして、手動投入部３０１を構成する各部材のうち、手動押しボタン７５を除く各部材は力伝達機構を構成し、この力伝達機構は、手動押しボタン７５の動きを投入トリガ５８に伝える役目を果たしている。
【００５１】
このような構成の遮断器の手動操作装置においては、投入指令信号が入ると、投入電磁石２００が作動して可動プランジャ６８が投入トリガ５８を押し下げる。また、手動押しボタン７５が押されると、延長ロッド９１が押圧力を伝達して、投入トリガ５８を押し下げる。そして、力伝達機構は、投入電磁石２００の可動プランジャ６８を介さずに直接投入トリガ５８に連結されているので、投入電磁石２００の動作に関係なく遮断器の投入が可能となる。
【００５２】
【発明の効果】
この発明は以上説明したように、手動投入部の力伝達機構は２つの機構部品間に力伝達方向に弾性を有する弾性体を有し、この弾性体は、出力レバーが第１の角度位置から第２の角度位置に移動する際に発生し力伝達機構を介して手動押しボタン側に伝達する衝撃力を進行の中途で吸収する。このため、手動押しボタンに大きな反発力が戻ってくるとがなく、操作者が突き指をする等の不具合がなくなり、遮断器を手動で操作する場合においても快適に操作することが出来る遮断器の操作装置を得ることができる。
【図面の簡単な説明】
【図１】この発明の実施の形態１の遮断器の手動操作装置を示す要部斜視図である。
【図２】図１の遮断器の手動操作装置の要部縦断面図である。
【図３】図１の遮断器の手動操作装置の出力レバーの第１の角度位置を示す説明図である。
【図４】図１の遮断器の手動操作装置の出力レバーの第２の角度位置を示す説明図である。
【図５】図１の遮断器の手動操作装置の遮断器開極状態を示す側面図である。
【図６】図１の遮断器の手動操作装置の遮断器投入状態を示す側面図である。
【図７】図１のねじりコイルばねの詳細を示す斜視図である。
【図８】この発明の実施の形態２の遮断器の手動操作装置の遮断器開極状態を示す側面図である。
【図９】この発明の実施の形態３の遮断器の手動操作装置の遮断器開極状態を示す側面図である。
【図１０】この発明の実施の形態４の遮断器の手動操作装置の手動投入部の要部の側面図である。
【図１１】この発明の実施の形態５の遮断器の手動操作装置の手動投入部の要部の側面図である。
【図１２】この発明の実施の形態６の遮断器の手動操作装置の手動投入部の要部の斜視図である。
【図１３】この発明の実施の形態７の遮断器の手動操作装置を示す遮断器投入状態の側面図である。
【符号の説明】
１  主接点、３２  Ｌ字型レバー、４８  カム軸、４９  主軸、５０  出力レバー、５１  引外しラッチ、５５  トリガ軸、５７  大歯車、５８  投入トリガ、６０  投入コイル、６１  引き外しばね、６２  投入ばね、６３  Ｂピン、６５  復帰ばね、６７  出力ピン、６８  可動プランジャ、６９  カム、７０  二重投入防止ピン、７１  軸受、７２  長円穴、７３  ねじりコイルばね（弾性体）、７４  手動投入ロッド、７５  手動押しボタン、７６  復帰バネ、７７  Ｄピン、７８  ピン、７９  手動押しボタンフレーム、８０ａ，８０ｂ  ボルト、８１ａ，８１ｂ  ボルト、９１  延長ロッド、９３  併合アーム、９８  補助線、９９  枠体、１００  二重投入防止部、１０１  第１の角度位置、１０２  第２の角度位置、１７３，３７３，４７３，５７３  円筒ばね（弾性体）、２７３硬質ゴム円柱（弾性体／低剛性部材）、２００  投入電磁石、３００、３０１手動投入部。
【図１】
2004165135.tif 000003
【図２】
2004165135.tif 000004
【図３】
2004165135.tif 000005
【図４】
2004165135.tif 000006
【図５】
2004165135.tif 000007
【図６】
2004165135.tif 000008
【図７】
2004165135.tif 000009
【図８】
2004165135.tif 000010
【図９】
2004165135.tif 000011
【図１０】
2004165135.tif 000012
【図１１】
2004165135.tif 000013
【図１２】
2004165135.tif 000014
【図１３】
2004165135.tif 000015